(57)【特許請求の範囲】
【請求項１】
カラー複写機における読取データと印刷用データとの色データの対応関係を示す変換テーブルを生成するための変換テーブルの生成方法であって、
原稿を測色計によって測色して前記原稿の測色データを取得し、前記原稿を前記カラー複写機によって読み取って前記原稿の読取データを取得することで前記原稿の測色データと前記原稿の読取データとの対応関係を求める第１のステップと、
所定の印刷用データを前記カラー複写機で印刷し、その印刷結果を前記測色計で測色して前記所定の印刷用データの印刷結果の測色データを得ることで前記所定の印刷用データと前記所定の印刷用データの印刷結果の測色データとの対応関係を求める第２のステップと、
前記第１のステップで求めた原稿の測色データに基づいて、記録系の記録特性を加味した目標の原稿の測色データを求める第３のステップと、
前記所定の印刷用データと前記所定の印刷用データの印刷結果の測色データとの対応関係に基づいて、前記目標とする原稿の測色データと原稿の印刷用データとの対応関係を求め、この対応関係と前記目標とする原稿の測色データと前記原稿の読取データとの対応関係に基づき前記原稿の読取データと原稿の印刷用データとの対応関係を求める第４のステップと、
前記第４のステップで求めた前記原稿の読取データと前記原稿の印刷用データとの対応関係に基づいて前記変換テーブルを生成する第５のステップと
を備えることを特徴とする変換テーブルの生成方法。
【請求項２】
請求項１に記載の変換テーブルの生成方法において、
前記第４のステップにおいて、前記原稿の読取データと原稿の印刷用データとの対応関係は、複数の、前記所定の印刷用データと前記所定の印刷用データの印刷結果の測色データとの対応関係を利用した補間によって求めること
を特徴とする変換テーブルの生成方法。
【請求項３】
請求項１または２に記載の変換テーブルの生成方法において、
前記第５のステップにおいて、前記読取データと印刷用データとの色データの変換テーブルは、複数の、前記原稿の読取データと前記原稿の印刷用データとの対応関係を利用した補間によって求めること
を特徴とする変換テーブルの生成方法。
【請求項４】
請求項１〜３のいずれかに記載の変換テーブルの生成方法において、
前記変換テーブルは、前記読取データの色空間内で所定の間隔毎に設定した点についての読取データと印刷用データとの対応関係で構成されること
を特徴とする変換テーブルの生成方法。
【請求項５】
請求項１〜４のいずれかに記載の変換テーブルの生成方法において、
前記目標とする原稿の測色データは、前記原稿の測色データの色表現能力と前記複写機の色表現能力を加味して求めること
を特徴とする変換テーブルの生成方法。
【請求項６】
請求項１〜５のいずれかに記載の変換テーブルの生成方法によって生成された変換テーブルを備え、当該変換テーブルを利用して複写を行うカラー複写機。
【請求項７】
請求項１〜５のいずれかに記載の変換テーブルの生成方法における各ステップの処理をコンピュータに実行させるためのプログラム。
【発明の詳細な説明】
【０００１】
【発明の属する技術分野】
カラー複写機等における読取データと印刷データとの色データの変換テーブルの生成方法等に関する。
【０００２】
【従来の技術】
従来より、カラー複写機では、原稿をＣＣＤ等で読み取り、読取データとしてＲＧＢ値を得て、そのＲＧＢ値を印刷用データであるＣＭＹ値に変換し、そのＣＭＹ値に基づいて印刷することによって原稿の複写物を得ている。
【０００３】
このようなＲＧＢ値からＣＭＹ値への変換は、例えばＲＧＢ値を一旦標準的なＬ＊ａ＊ｂ＊表色系での値（以下Ｌ＊ａ＊ｂ＊値と称する）へ変換し、このＬ＊ａ＊ｂ＊値をＣＭＹ値に変換することで行われている。また、例えば特開昭５３−１２３２０１号公報及び特開２０００−３５００４９号公報に記載のように、標準的なＬ＊ａ＊ｂ＊表色系に変換せずに直接変換する方法が知られている。
【０００４】
こうした読取データと印刷用データの変換は、変換元の表色系から変換先の表色系への対応関係を記憶したルックアップテーブルを参照して、読取データに対応する印刷用データを求めることで行われる。
【０００５】
【発明が解決しようとする課題】
しかしながら、こうしたルックアップテーブルは、開発対象の複写機に仮のルックアップテーブルを設定しては、原稿であるカラーチャートを複写してみて、複写結果と原稿を比べてはルックアップテーブルを調整するといった作業を繰り返し行って、複写結果が原稿にできるだけ近い色になるように調整する必要がある。このように原稿を複写しては調整を行うといったサイクルを何度も何度も繰り返す必要があり、適切なルックアップテーブルを生成するのに時間がかかるといった問題があった。
【０００６】
特に複数の複写モードや多数の用紙種類に対応した複写機の場合、複写モードや用紙種類等のパターン毎にルックアップテーブルを設ける必要があり、このような場合には、すべてのパターンのルックアップテーブルを生成するのには非常に時間がかかるという問題がある。
【０００７】
またこのような調整はだれもが行えるものではなく、熟練した技術者でなければできないといった問題もある。
そこで本発明は、迅速かつ容易にルックアップテーブル等の変換テーブルを生成することができる変換テーブルの生成方法等を提供することを目的とする。
【０００８】
【課題を解決するための手段及び発明の効果】
上述した問題点を解決するためになされた請求項１に記載の変換テーブルの生成方法は、所定の印刷用データと所定の印刷用データの印刷結果の測色データとの対応関係を求め、この所定の印刷用データと所定の印刷用データの印刷結果の測色データとの対応関係に基づいて目標とする原稿の測色データと原稿の印刷用データとの対応関係を求める。そして、この目標とする原稿の測色データと原稿の印刷用データとの対応関係と目標とする原稿の測色データと原稿の読取データとの対応関係とに基づき原稿の読取データと原稿の印刷用データとの対応関係を求める。そして原稿の読取データと原稿の印刷用データとの対応関係に基づき読取データと印刷用データとの色データの対応関係を示す変換テーブルを生成する。
【０００９】
すなわち第１のステップとして、原稿を測色計によって測色して原稿の測色データを取得する。また、変換テーブルを組み込む対象となるカラー複写機によって原稿を読み取って原稿の読取データを取得する。これにより原稿の測色データと原稿の読取データとの対応関係を求めることができる。例えば複数の色のパターンを含むカラーチャートの原稿を測色して原稿のＬ＊ａ＊ｂ＊値を得て、この原稿をカラー複写機で読み取って読取ＲＧＢ値を得ることで、原稿のカラーチャートに含まれる色毎のＬ＊ａ＊ｂ＊値と読取ＲＧＢ値との対応関係を求めることができる。つまり原稿のＬ＊ａ＊ｂ＊値と変換テーブルを組み込む対象となるカラー複写機の読取系で読み取った読取ＲＧＢ値との対応関係を得ることができる。
【００１０】
第２のステップとして、変換テーブルを組み込む対象となるカラー複写機によって所定の印刷用データを印刷し、その印刷結果を測色計で測色して所定の印刷用データの印刷結果の測色データを得ることで、所定の印刷用データと所定の印刷用データの印刷結果の測色データとの対応関係を求める。例えば、所定の印刷用データとしてＣＭＹの各値を１６分割した１７×１７×１７＝４９１３パターンを含むカラーチャートの印刷用データを用意し、変換テーブルを組み込む対象となるカラー複写機によって印刷する。そして、この印刷結果を測色して印刷結果の４９１３パターンを含むカラーチャートの各Ｌ＊ａ＊ｂ＊値を求める。その結果、ＣＭＹ値とＬ＊ａ＊ｂ＊値との対応関係を４９１３パターン求めることができる。つまり所定の印刷用データを印刷することによって、カラー複写機の記録系（印刷系）での所定の印刷用データの印刷結果の測色結果のＬ＊ａ＊ｂ＊値とＣＭＹ値の対応関係を得ることができる。なお、第１のステップと第２のステップはどちらを先に行っても構わない。
第３のステップでは、前記第１のステップで求めた原稿の測色データに基づいて、記録系の記録特性を加味した目標の原稿の測色データを求める。
【００１１】
第４のステップでは、第２のステップで求めた所定の印刷用データと所定の印刷用データの印刷結果の測色データとの対応関係に基づいて目標とする原稿の測色データと原稿の印刷用データとの対応関係を求める。この所定の印刷用データと所定の印刷用データの印刷結果の測色データとの対応関係に基づいて目標とする原稿の測色データと原稿の印刷用データとの対応関係を求める方法としては、例えば、目標とする原稿の測色データに表色系内（色空間内）で最も近い印刷用データの印刷結果の測色データに対応する所定の印刷用データをその目標とする原稿の測色データに対応する原稿の印刷用データとするようにして求めるようにしてもよいが、例えば請求項２に記載のように、第２のステップで求めた複数の、所定の印刷用データと所定の印刷用データの印刷結果の測色データとの対応関係を利用した補間によって求めるとよい。このようにすれば、より原稿の色に近い複写物を得ることができる変換テーブルを生成できる。そしてこのようにして求めた目標とする原稿の測色データと原稿の印刷用データとの対応関係と第１のステップで求めた原稿の測色データと原稿の読取データとの対応関係に基づいて原稿の読取データと原稿の印刷用データとの対応関係を求める。
【００１２】
そして第５のステップにおいて、読取データと印刷データの対応関係を示す変換テーブルを、第４のステップで求めた原稿の測色データと原稿の印刷用データとの対応関係に基づいて求めることができる。
なお、第５のステップでは、例えば原稿の読取データと原稿の印刷用データの対応関係そのものを変換テーブルとして生成するようにしてもよい。しかし、例えば原稿のカラーチャートに含まれる複数の色のパターンが、複写機の記録系で記録可能な色空間内で適切に分散して存在していない場合には、特定の色に付いては色再現性が高くなり、別の色については色再現性が低くなる可能性がある。また、原稿のカラーチャートに含まれる複数の色のパターンの数に対応するパターンの対応関係が変換テーブルとして得られるため、多数の色のパターンが原稿に含まれる場合には、変換テーブルのデータ量が多くなってしまう。
【００１３】
そこで、例えば請求項３に示すように、第５のステップにおいて、読取データと印刷用データとの色データの変換テーブルは、複数の、原稿の読取データと原稿の印刷用データとの対応関係を利用した補間によって求めるとよい。また、請求項４に示すように、変換テーブルは、読取データの色空間内で所定の間隔毎に設定した点についての読取データと印刷用データとの対応関係で構成するとよい。例えば変換テーブルを表色系内で等間隔に区切った読取データの値毎の読取データと印刷用データとの対応関係で構成し、この等間隔に区切った読取データの値毎の読取データに対応する原稿の印刷用データの値を、複数の、原稿の読取データと原稿の印刷用データとの対応関係を利用した補間によって求める。このようにすれば、変換テーブルの容量を小さくすることができ、変換テーブル内の読取データの点の色空間内での偏りをなくすことができる。したがって、どの色についても適切に変換ができるようになり、原稿と複写物との色の違いを小さくすることができる変換テーブルを生成することができる。
【００１４】
例えば、第４のステップでは、所定の印刷用データの印刷結果の測色結果のＬ＊ａ＊ｂ＊値と所定の印刷用データのＣＭＹ値の対応関係に基づいて、原稿の測色結果のＬ＊ａ＊ｂ＊値と原稿の印刷用データのＣＭＹ値との対応関係を三角錐補間により求め、原稿の測色結果のＬ＊ａ＊ｂ＊値と原稿の印刷用データのＣＭＹ値との対応関係と、原稿の測色結果のＬ＊ａ＊ｂ＊値と原稿の読取データのＲＧＢ値との対応関係から原稿の読取データのＲＧＢ値と原稿の印刷用データのＣＭＹ値との対応関係を求める。そして第５のステップでは例えばこのようにして求めた対応関係そのものを変換テーブルとして生成することもできるが、例えば、ＲＧＢの色空間を各成分毎に８等分の点として９×９×９＝７２９の格子点で代表する変換テーブルに補間によって納めることができる。
【００１５】
なお、原稿の測色データは、上述のように原稿の測色データに基づいて目標とする原稿の測色データを求めて、求めた目標とする原稿の測色データを利用するとよい。例えば、請求項５に示すように、前記原稿の測色データの色表現能力と前記複写機の色表現能力を加味して求めるとよい。例えば、原稿の測色データがＬ＊ａ＊ｂ＊値で求められる場合に、輝度値に相当するＬ＊値に所定の係数を掛けるなどして原稿の測色データを調整して目標とする原稿の測色データを求め、求めた目標とする原稿の測色データを利用して変換テーブルを求める。例えば複写機の記録系の特性を加味して目標とする原稿の測色データを求めるとよい。
【００１６】
上述した変換テーブルの生成方法によれば、原稿を複写してみては複写結果と原稿を比べてルックアップテーブルを調整するといった作業を繰り返し行う必要がなくなる。したがって、迅速かつ容易に変換テーブルを生成することができる。特に複数の複写モードや多数の用紙種類に対応した複写機において、複写モードや用紙種類等のパターン毎に変換テーブルを生成する場合であっても、極めて短時間かつ容易に変換テーブルを生成することができる。また、上述した変換テーブルの生成方法によれば、熟練した技術者でなくても、変換テーブルを生成することができる。
【００１７】
したがって、請求項６に示すようなカラー複写機の開発コストを抑えることができる。特に複数の変換テーブルを備える高機能なカラー複写機であっても容易かつ安価に変換テーブルを生成できる。
なお、請求項７に示すように、請求項１〜６のいずれかに記載の変換テーブルの生成方法における各ステップの処理をコンピュータシステムにて実行する場合、例えば、コンピュータシステムで起動するプログラムとして備えることができる。このようなプログラムの場合、例えば、フレキシブルディスク、光磁気ディスク、ＣＤ−ＲＯＭ、ハードディスク、ＲＯＭ、ＲＡＭ等のコンピュータ読み取り可能な記録媒体に記録し、必要に応じてコンピュータシステムにロードして起動することにより用いることができ、また、ネットワークを介してロードして起動することにより用いることもできる。
【００１８】
【発明の実施の形態】
以下、本発明が適用された実施例について図面を用いて説明する。なお、本発明の実施の形態は、下記の実施例に何ら限定されることなく、本発明の技術的範囲に属する限り種々の形態を採りうることは言うまでもない。
【００１９】
図１は実施例の変換テーブルの生成方法を実現する変換テーブル生成システム１の構成を示すブロック図である。変換テーブル生成システム１は、カラー複写機１０と、カラー複写機１０の記録結果（印刷結果）を入力し、記録結果の用紙内の指定されたポイントのＬ＊ａ＊ｂ＊表色系の値であるＬ＊ａ＊ｂ＊値を得る測色計２０と、カラー複写機１０及び測色計２０とネットワーク（インターフェース及び接続ケーブル等）を介して接続されたパーソナルコンピュータ（以下ＰＣと称する）３０とを備える。
【００２０】
カラー複写機１０は、ＣＣＤまたはＣＩＳ等の読取部１２で読み取った原稿の読取ＲＧＢデータを制御部１４がＰＣ３０へ送信する読取データ送信機能（図１中に丸数字「１」で示す）と、ＰＣ３０からネットワークを介して制御部１４が受信したＣＭＹデータを記録部１８から用紙に記録（印刷）するＣＭＹデータ記録機能（図１中に丸数字「２」で示す）と、ＰＣ３０からネットワークを介して制御部１４が受信したルックアップテーブル（ＰＣ３０によって生成された変換テーブル）を、カラー複写機１０のルックアップテーブル（以下ＬＵＴと称する）１６として設定するＬＵＴ設定機能（図１中に丸数字「３」で示す）と、読取部１２で読み取って得た読取ＲＧＢデータをＬＵＴ１６を用いて対応するＣＭＹデータに変換して記録部１８でこのＣＭＹデータによって用紙への記録を行う複写機能（図１中に丸数字「４」で示す）とを備える。
【００２１】
そしてこの複写機能は、読取系処理と、記録系処理と、読取系処理によって生成されたＲＧＢデータを記録系処理で利用するＣＭＹデータに変換する変換処理とによって実現される。すなわち図２の右側のフローに示すように、読取系処理として、制御部１４が読取部１２を駆動して、まず読取部１２を構成するＣＣＤ等のスキャナデバイスで原稿を読み取り、画素毎のＲＧＢデータを得る（図２のＳ１）。そして、制御部１４は、このＲＧＢデータにγ補正を行ってγ補正後のＲＧＢデータを得る（Ｓ２）。そしてＬＵＴ１６を用いて変換処理によりＲＧＢデータをＣＭＹデータに変換する（Ｓ３）。
【００２２】
一方記録系処理は、例えば記録部１８がインクジェットであれば、Ｃ（シアン）、Ｍ（マゼンタ）、Ｙ（イエロー）、Ｋ（ブラック）の４色を用いて用紙への記録を行うため、変換処理によってＲＧＢデータから変換されたＣＭＹデータを、制御部１４が、ＵＣＲ(Under Color Rejection)処理によってＣＭＹＫデータに変換し（Ｓ４）、このＣＭＹＫデータにγ補正を行ってγ補正後のＣＭＹＫデータを得る（Ｓ５）。そして、制御部１４は、このγ補正後のＣＭＹＫデータを用いてヘッドや紙送り等の記録部１８を制御して用紙への記録を行う（Ｓ６）。
【００２３】
そして、図２のＳ１，Ｓ２の読取系処理によって得られたＲＧＢデータからＳ４以降の記録系処理で用いるＣＭＹデータに変換する変換処理（Ｓ３）に用いるＬＵＴ１６は、ＲＧＢの各軸の最大値と最小値（例えば８ビットであれば最小値は０、最大値は２５５など）の間を等間隔に区切った格子点上の値を用いる。本実施例では、各軸を等間隔に９つの格子点で区切った９×９×９＝７２９通りのＲＧＢデータとＣＭＹデータとの対応関係をＬＵＴ１６として記憶している。なお読取系処理によって得られるＲＧＢデータは、各色８ビットで表現されるため２５６×２５６×２５６＝１６７７７２１６色（以下フルカラーと称する）のデータである。そのためフルカラーの読取ＲＧＢデータを、格子点上のＲＧＢデータとそのＣＭＹデータとの対応関係を記憶したＬＵＴ１６を用いて、ＣＭＹデータに変換する必要がある。この変換は、例えば特開昭５３−１２３２０１号公報の従来技術として記載されている体積補間等を用いて行うことができる。すなわち、フルカラーの１つの読取ＲＧＢデータを含む８つの格子点で構成される単位立方体の各頂点ＲＧＢ値に対応するＣＭＹ値に、このフルカラーの１つの読取ＲＧＢデータから単位立方体の各面に対しておろした垂線によって分割された、各頂点と対角位置にある直方体の体積を乗じ、それらの積を加算することによって、このフルカラーの読取ＲＧＢデータを対応するフルカラーのＣＭＹデータに変換することができる。
【００２４】
次に図１に示した変換テーブル生成システム１によって実現される変換テーブル（ＬＵＴ１６）の生成方法を説明する。
まず、６０００色のカラーパターンが印刷された原稿をカラー複写機１０で読み取り（図２のＳ１）、読取ＲＧＢデータを得て（Ｓ２）、ＰＣ３０でこの読取ＲＧＢデータを取得する（図１及び図２の丸数字「１」の処理に相当する）。
【００２５】
そして、この６０００色のカラーパターンが印刷された原稿を測色計２０で各色のパターン毎に測色して、原稿の測色データであるＬ＊ａ＊ｂ＊値をＰＣ３０で得る。そして、ＰＣ３０は、６０００色のカラーパターンの記録位置に基づき、原稿のＬ＊ａ＊ｂ＊値と読取ＲＧＢデータとの対応関係（読取プロファイル）を得て記憶する。この対応関係が特許請求の範囲の第１のステップによって求められる原稿の測色データと原稿の読取データとの対応関係に相当する。
【００２６】
また、ＰＣ３０は、ＣＭＹのデータの組み合わせを、例えばＣＭＹの各色１７ポイントで１７×１７×１７＝４９１３色分用意する。そしてこの４９１３色を含むカラーパターンを印刷するためのデータをカラー複写機１０へ送信し、カラー複写機１０はこのデータを受信して、カラーパターンを記録部１８で用紙に記録する（図２のＳ４〜Ｓ６）。そして、記録されたカラーパターンを測色計２０で測色し、ＰＣ３０は測色計２０から得られた各色のＬ＊ａ＊ｂ＊値と各色のカラーパターンのＣＭＹデータに基づき、４９１３色分のＣＭＹデータとＬ＊ａ＊ｂ＊値の対応関係（記録プロファイル）を得て記憶する。この対応関係が特許請求の範囲の第２のステップによって求められる所定の印刷用データと所定の印刷用データの印刷結果の測色データの対応関係に相当する。
【００２７】
そして、ＰＣ３０は、原稿の測色データである６０００色のＬ＊ａ＊ｂ＊値から６０００色の目標とするＬ＊ａ＊ｂ＊値を求める目標データの作成を行う（図２のＳ０）。この処理が特許請求の範囲における第３のステップに相当する。
この目標とするＬ＊ａ＊ｂ＊値は、原稿にある６０００色が最終的にどういう色として記録されるべきか求めたものである。すなわち、この目標とするＬ＊ａ＊ｂ＊値は、コピーの印刷結果を測色計２０で測色した時に得られるべき値である。しかし、原稿の測色データであるＬ＊ａ＊ｂ＊と印刷結果のＬ＊ａ＊ｂ＊が同じであるとは限らず、例えば、記録モードがインクをセーブするモードの場合には、原稿にある６０００色の輝度値全体を表現することができず、例えば濃い黒色などはそもそも記録できない。そこで、輝度値であるＬ＊値を、表現可能な範囲に納めるように縮小する。例えば、Ｌ＊値を０．８倍して、目標とするＬ＊ａ＊ｂ＊値を求める。もちろん印刷モードや記録系の記録特性等を加味してａ＊値、ｂ＊値を変更して目標とするＬ＊ａ＊ｂ＊値を求めるようにしてもよい。
【００２８】
そして、ＰＣ３０は、４９１３色分のＣＭＹデータとＬ＊ａ＊ｂ＊値の対応関係に基づき、６０００色の目標のＬ＊ａ＊ｂ＊値に対応する６０００個のＣＭＹデータを求める。この６０００個のＣＭＹデータを求めることにより、６０００個の読取ＲＧＢデータと６０００個のＣＭＹデータを対応付けることができる。
【００２９】
４９１３色分のＣＭＹデータとＬ＊ａ＊ｂ＊値の対応関係に基づき、６０００色の目標のＬ＊ａ＊ｂ＊値に対応する６０００個のＣＭＹデータを求める処理は次のように行う。
４９１３色分のＣＭＹデータとＬ＊ａ＊ｂ＊値の対応関係に基づき４９１３色分のＣＭＹデータをＬ＊ａ＊ｂ＊空間にプロットすると、図３（ａ）の白丸（○）で示す点として表すことができる。そして６０００色の目標のＬ＊ａ＊ｂ＊値の中の１つの値をＬ＊ａ＊ｂ＊空間にプロットすると黒丸（●）で示す点５０となる。求めたい値は、この点５０のＬ＊ａ＊ｂ＊値に対応するＣＭＹ値である。そこで、点５０を含みかつ最小の三角錐を形成するような三角錐の頂点となる白丸の４つの点を求め、この４点から点５０への距離をそれぞれ求めて点５０から相対的に近い点のＣＭＹ値を大きく反映するように重みを設定し、それぞれ対応する白丸の点のＣＭＹ値にこの重みを掛けてその合計を求めることで、点５０のＣＭＹ値を求める。ＰＣ３０は、このような三角錐補間によって、６０００色の目標のＬ＊ａ＊ｂ＊値に対応する６０００個のＣＭＹデータを求める。よって６０００個の読取ＲＧＢデータと６０００個のＣＭＹデータを対応付けることができる（図２の丸数字「３」の処理に相当し、特許請求の範囲における第４のステップに相当する）。
【００３０】
そして、ＰＣ３０は、この６０００個の読取ＲＧＢデータと６０００個のＣＭＹデータとの対応関係から、ＬＵＴ１６として記憶する前述した７２９通りの格子点上のＲＧＢデータとＣＭＹデータとの対応関係を求める。すなわち、６０００個の読取ＲＧＢデータと６０００個のＣＭＹデータとの対応関係をそのままＬＵＴ１６としてもよいのであるが、データ量が多くなってしまうので、前述のように７２９通りの格子点上のＲＧＢデータとＣＭＹデータとの対応関係に変換するのである。
【００３１】
この変換は、図３（ａ），（ｂ）を参照して説明した三角錐補間と同様にして行う。すなわち、図３（ｃ）に示すように軸をそれぞれＲ，Ｇ，Ｂ軸とし、ＲＧＢ空間内に６０００個のＲＧＢデータをプロットする。この６０００個の点が図３（ｃ）の白丸の点に相当する。そして、図３（ｃ）に黒丸で示す格子点上の点のＣＭＹ値を三角錐補間によって求める。つまり格子点を含みかつ最小の三角錐を形成するような三角錐の頂点となる６０００個のＲＧＢデータの点（白丸の４つの点）を求め、この４点から格子点への距離をそれぞれ求めて格子点から相対的に近い点のＣＭＹ値を大きく反映するように重みを設定し、それぞれ対応する各点のＣＭＹ値にこの重みを掛けてその合計を求めることで、格子点上のＣＭＹ値を求める。このようにして、図３（ｃ）の黒丸で示す７２９個の格子点上のＲＧＢデータに対応するＣＭＹデータを得ることができる。このようにして変換テーブルのサイズを圧縮することができる。この処理が特許請求の範囲における第５のステップに相当する。
【００３２】
このようにしてＰＣ３０で求めた格子点上のＲＧＢデータとＣＭＹデータの対応関係をカラー複写機１０の制御部１４の使用するＬＵＴ１６のデータ構造に納め、前述したＬＵＴ設定機能によりＰＣ３０からカラー複写機１０のＬＵＴ１６に設定する。
【００３３】
このようにして、原稿の色そのものをほぼ完璧に再現することのできるＬＵＴ１６を容易かつ迅速に生成することができる。しかもこのような処理はＰＣ３０、カラー複写機１０、測色計２０のプログラムに基づく処理によって自動的に行うことができるため、従来必要だった熟練した技術者でなくても、誰でもＬＵＴ１６の生成作業を行うことができる。
【００３４】
また、例えばカラー複写機１０が複数のコピーモードを持ち、異なるＬＵＴ１６を使用する必要がある場合であっても、それぞれのコピーモードに対応するＬＵＴ１６を迅速かつ容易に生成することができる。
また、ＬＵＴ１６を容易に生成できるため、図１のＳ２（読取γ補正），Ｓ４（ＵＣＲ），Ｓ５（記録γ補正）のような、読取系または記録系内での色補正等のパラメータの変更によるＬＵＴ１６の変更も容易に行うことができ、Ｓ２〜Ｓ５のカラーマッチング全体を迅速かつ容易に行うことができる。
【００３５】
なお、上述した実施例では６０００色のカラーチャートや４９１３色のカラーチャートを用いることとしたが、これは、１枚の用紙にこれらの色の一部のみが記録されているものを複数回読み取ったり、記録したり、測色するようにしても構わない。この場合には対応関係をＰＣ３０で統合して管理するようにすればよい。
【００３６】
また上記実施例では三角錐補間を用いることとしたが、例えば隣接する４点など３点以上のデータを用いて補間を行うなど、他の補間方法を用いてもよい。
【図面の簡単な説明】
【図１】実施例の変換テーブル生成方法を実現する変換テーブル生成システムの構成を示すブロック図である。
【図２】実施例の変換テーブル生成方法の流れを示す説明図である。
【図３】補間方法の例を示す説明図である。
【符号の説明】
１…変換テーブル生成システム
１０…カラー複写機
１２…読取部
１４…制御部
１６…ルックアップテーブル（ＬＵＴ）
１８…記録部
２０…測色計
３０…ＰＣ
【図１】
0004252748.tif 000002
【図２】
0004252748.tif 000003
【図３】
0004252748.tif 000004